(57)【要約】【課題】簡易な構造乃至は機構により、塵埃を水で効率よく分離・捕捉し得る水フィルター式集塵機を構成する。【解決手段】水Ｗを容器の底側に収容する集塵容器１を備え、集塵容器１の内部空気を吸引排気させて内部空間を負圧にするファンモータ２を容器の上部側に配設し、塵埃を含有する空気の吸気パイプ３を集塵容器１の容器内に延長させて内端側の閉塞端部を容器内の水中Ｗに没入配置し、複数の排気孔４ａ，４ｂを周回り底面に沿って穿孔した環状パイプ４を吸気パイプ３の水中に没入する閉塞端部寄りに連通させて備え、集塵容器１の内部空気をファンモータ２で吸引排気することによる内部空間の負圧により、塵埃を含有する空気を吸気パイプ３で吸引すると共に、当該空気を環状パイプ４の排気孔４ａ，４ｂから噴射状の気泡として水中に放出させて塵埃と空気を水中で分離可能に構成した。【選択図】図４
2011083519.tif 000002
【特許請求の範囲】
【請求項１】
水を容器の底側に収容する集塵容器を備え、集塵容器の内部空気を吸引排気させて内部空間を負圧にするファンモータを容器の上部側に配設すると共に、塵埃を含有する空気の吸引口と連通する吸気パイプを集塵容器の容器内に延長させて配設する水フィルター式集塵機であって、
吸気パイプは、内端側の閉塞端部を容器の底側に収容した水中に没入させて配置し、定間隔毎複数の排気孔を周回り底面に沿って穿孔した環状パイプを水中に没入する閉塞端部寄りの両側面に連通させて備え、
集塵容器の内部空気をファンモータで吸引排気することによる内部空間の負圧により、塵埃を含有する空気を吸気パイプで吸引すると共に、当該空気を環状パイプの排気孔から噴射状の気泡として水中に放出させて塵埃と空気を水中で分離可能に構成したことを特徴とする水フィルター式集塵機。
【請求項２】
集塵容器の底部面に載置する定間隔毎複数の重り兼台座により、環状パイプを保持させて、環状パイプを水中に没入配置したことを特徴とする請求項１に記載の水フィルター式集塵機。
【請求項３】
上部側を開放した容器本体と、容器本体を密閉する着脱可能な容器蓋とから組み立てた集塵容器を備え、容器本体の内部空気を吸引排気するファンモータを容器蓋の上部面に配設すると共に、塵埃を含有する空気の吸引口と連通する吸気パイプを容器蓋より容器本体の内部に延長させて配設したことを特徴とする請求項１に記載の水フィルター式集塵機。
【発明の詳細な説明】
【技術分野】
【０００１】
本発明は、塵埃を含有する空気を水に作用させて塵埃を水で分離・捕捉する水フィルター式集塵機に関するものである。
【背景技術】
【０００２】
従来、水を集塵容器の底側に収容し、塵埃を含有する空気を集塵容器の上部側に備えたファンモータで容器内に吸引し、空気の吸引口と連通する吸気ダクトより塵埃を含有する空気を容器内の水に吹き付けることから、塵埃を水で分離・捕捉するよう構成した水フィルター式の電気掃除機が知られている（特許文献１）。
【０００３】
その電気掃除機は、塵埃を水で効率よく分離・捕捉するため、水だけを流通させて空気を遮断する隔壁を容器内に設け、容器内を吸気室と排気室に分けると共に、複数の通孔を板面に穿孔した中敷き壁を排気室の水中に配設し、塵埃を含有する空気を吸気ダクトより吸気室の室内で水に吹き付け、更に、下端側を水中に没入させた排気ダクトにより吸気室からの空気を排気室に流動させて水中に放出し、水と空気を中敷き壁の通孔より生ずる気泡として水中で自然分離させるよう構成されている。
【先行技術文献】
【特許文献】
【０００４】
【特許文献１】特開２０００−３３３８８９号
【発明の概要】
【発明が解決しようとする課題】
【０００５】
上述した電気掃除機にあっては、集塵容器の容器内を隔壁で吸気室と排気室に分けると共に、複数の通孔を板面に穿孔した中敷き壁を排気室の水中に配設するものであるため、内部構造が複雑で高価なものになってしまう。
【０００６】
それに加えて、塵埃を含有する空気を吸気室の室内で水に吹き付けて上方流れさせ、更に、当該空気を排気ダクトで下方流れさせて排気室の水中に放出するようにするものであるため、空気流れの誘導経路も複雑なものになり、また、吸気室よりの空気を中敷き壁の通孔より浮上させることから、塵埃の付着による通孔の目詰まりが生ずるおそれもある。
【０００７】
本発明の解決しようとする課題は、主に、簡易な構造乃至は機構により、塵埃を水で効率よく分離・捕捉し得る水フィルター式集塵機を構成する点にある。
【課題を解決するための手段】
【０００８】
本願の請求項１に係る発明は、水を容器の底側に収容する集塵容器を備え、集塵容器の内部空気を吸引排気させて内部空間を負圧にするファンモータを容器の上部側に配設すると共に、塵埃を含有する空気の吸引口と連通する吸気パイプを集塵容器の容器内に延長させて配設する水フィルター式集塵機であって、
吸気パイプは、内端側の閉塞端部を容器の底側に収容した水中に没入させて配置し、定間隔毎複数の排気孔を周回り底面に沿って穿孔した環状パイプを水中に没入する閉塞端部寄りの両側面に連通させて備え、
集塵容器の内部空気をファンモータで吸引排気することによる内部空間の負圧により、塵埃を含有する空気を吸気パイプで吸引すると共に、当該空気を環状パイプの排気孔から噴射状の気泡として水中に放出させて塵埃と空気を水中で分離可能に構成したことを特徴とする。
【０００９】
本願の請求項２に係る発明は、請求項１に係る発明の水フィルター式集塵機において、集塵容器の底部面に載置する定間隔毎複数の重り兼台座により、環状パイプを保持させて、環状パイプを水中に没入配置したことを特徴とする。
【００１０】
本願の請求項３に係る発明は、請求項１に係る発明の水フィルター式集塵機において、上部側を開放した容器本体と、容器本体を密閉する着脱可能な容器蓋とから組み立てた集塵容器を備え、容器本体の内部空気を吸引排気するファンモータを容器蓋の上部面に配設すると共に、塵埃を含有する空気の吸引口と連通する吸気パイプを容器蓋より容器本体の内部に延長させて配設したことを特徴とする。
【発明の効果】
【００１１】
本願の請求項１に係る発明の水フィルター式集塵機によれば、定間隔毎複数の排気孔を周回り底面に沿って穿孔した環状パイプを吸気パイプの水中に没入する閉塞端部寄りの両側面に連通させて備えるという簡略な構造で、且つ、集塵容器の内部空気をファンモータで吸引排気することによる内部空間の負圧により、塵埃を含有する空気を吸気パイプでパイプ内に吸引すると共に、当該空気を環状パイプの排気孔から噴射状の気泡として水中に放出させて水と空気を水中で分離するという簡略な機構で、塵埃を水で効率よく分離・捕捉でき、また、環状パイプの排気孔も目詰まりしないよう構成できる。
【００１２】
本願の請求項２に係る発明の水フィルター式集塵機によれば、塵埃を含有する空気を環状パイプの排気孔から噴射状の気泡として水中に放出させても、環状パイプを重り兼台座で水中に安定よく定置させて置けるよう構成できる。
【００１３】
本願の請求項３に係る発明の水フィルター式集塵機によれば、容器蓋を取り外せば、ファンモータ，環状パイプを含む吸気パイプも容器本体より取り外せることから、塵埃を含む水の交換や容器本体の内部洗浄を容易に行えるよう構成できる。
【図面の簡単な説明】
【００１４】
【図１】図１は、本発明に係る水フィルター式集塵機の内部構造を容器本体の側断面で示す説明図である。
【図２】図２は、図１の内部構造を容器本体の横断面で示す説明図である。
【図３】図３は、図１の水フィルター式集塵機に備えられる環状パイプを底面側より示す説明図である。
【図４】図４は、図１の水フィルター式集塵機を作動状態で示す説明図である。
【発明を実施するための形態】
【００１５】
図示実施の形態は、電動カッターによる屋根瓦の切断に伴って生ずる粉塵を大気中に飛散させないよう集塵する粉塵の集塵機（特開２００３−０９４４３２号公報、特開２００３−２５１６２４号公報参照）を水フィルター式に構成するに適用されている。
【００１６】
図示の集塵機は、図１で示すように上部側を開放した容器本体１ａと、容器本体１ａを密閉する容器蓋１ｂとか組み立てた集塵容器１を備えて構成されている。容器本体１ａは円筒状の胴部を有し、容器蓋１ｂは容器本体１ａの開放端に嵌まり合う略円板形で容器本体１ａの内部を密閉するよう着脱可能に備え付けられている。この集塵機には、後述するように適量の水Wが容器本体１ａの底側に収容されている。
【００１７】
容器蓋１ｂには、容器本体１ａの内部空気を吸引排気する電動型のファンモータ２が上部面に配設されている。そのファンモータ２としては、ファン２ａを容器本体１ａの内部に臨ませ、駆動モータ（図示せず）をハウジング２ｂに内蔵したものが備えられている。ハウジング２ｃには、複数の排気口２ｃ，２ｄが壁面に設けられている。
【００１８】
ファンモータ２と共に、容器蓋１ｂには、塵埃を含有する空気の吸引口（図示せず）と連通する吸気パイプ３が容器本体１ａの内部に延長させて配設されている。その吸気パイプ３は、下端側の閉塞端部を容器本体１ａの底側に収容した水中に没入させて配置されている。
【００１９】
吸気パイプ３には、環状パイプ４が水中に没入する閉塞端部寄りの両側面に連通させて備え付けられている。環状パイプ４は、図２で示すように容器本体１ａの内周に略相応する円形を呈するよう配管されている。環状パイプ４の周回り底面に沿っては、図３で示すように径の小さな排気孔４ａ，４ｂが定間隔毎に複数穿孔されている。
【００２０】
環状パイプ４は、容器本体１ａの底部面に載置する重り兼台座５ａ〜５ｃで保持することから水中に没入配置されている。重り兼台座５ａ〜５ｃは四角筒状の金属ブロックでなり、環状パイプ４を筒側面と直交するよう挿通させて円周方向の定間隔毎に取り付けられている。
【００２１】
重り兼台座５ａ〜５ｃは、各座の対角線上に掛け渡す橋絡プレート６ａ〜６ｃで一体に連結されている。また、各座における橋絡プレート６ａ〜６ｃの交点より上方に立て付けて支柱バー７ａ〜７ｃを植立し、リング枠８を支柱バー７ａ〜７ｃの上端間に掛渡し固定することにより、重り兼台座５ａ〜５ｃは吸気パイプ３，環状パイプ４を含む全体を容器本体１ａの内部から取り外せるよう組み付けられている。
【００２２】
このように構成する水フィルター式集塵機では、電動カッターによる屋根瓦の切断と共に、ファンモータ２を駆動すると、集塵容器１の内部空気をファンモータ２で吸引し排気口２ｃ，２ｄより外部に排気することから、集塵容器１の内部空間が負圧となる。その負圧の作用により、粉塵を含有する空気を電動カッターの刃先近くに開口する吸気口と連通する吸気パイプ３で吸引する。
【００２３】
吸気パイプ３よりの粉塵を含有する空気は、吸気パイプ３の下端側が閉塞されているため、環状パイプ４に流動し、環状パイプ４の排気孔４ａ，４ｂから噴射状の気泡として水中Ｗに放出される。その気泡は、水中での浮遊途上にまたは水面近くで割れて粉塵と空気を水中で分離することから、粉塵を水で効率よく分離・捕捉できる。
【００２４】
この水フィルター式集塵機では、集塵容器１の内部空気をファンモータ２で吸引し外部に排気することによる内部空間の負圧により、粉塵を含有する空気を吸気パイプ３で吸引し、また、環状パイプ４の排気孔４ａ，４ｂから噴射状の気泡として水中Ｗに放出し得るよう、ファンモータ２の排気力と水の収容量とのバランスが適宜に設定されている。
【００２５】
粉塵を含有する空気が環状パイプ４の排気孔４ａ，４ｂから噴射状の気泡として水中Ｗに放出されることに伴って、振動が生じても、環状パイプ４が重り兼台座５ａ〜５ｃで保持されているため、環状パイプ４は水中に安定よく定置させられて気泡の噴射放出を継続的に行える。
【００２６】
作業終了後は、容器蓋１ｂを容器本体１ａから取り外せば、ファンモータ２，環状パイプ４を含む吸気パイプ３も容器本体１ａより取り外せることから、塵埃を含む水の交換や容器本体１ａの内部洗浄を容易に行うようにできる。
【００２７】
上述した実施の形態は、電動カッターによる屋根瓦の切断に伴って生ずる粉塵の集塵に適用する場合に基づいて説明したが、集塵容器の形態や吸気パイプの導入位置等を適宜に設計変更することにより、機構的には電気掃除機等にも適用することができる。
【符号の説明】
【００２８】
１      集塵容器
１ａ    容器本体
１ｂ    容器蓋
２      ファンモータ
３      吸気パイプ
４      環状パイプ
４ａ，４ｂ  排気孔
５ａ〜５ｃ  重り兼台座
Ｗ      水
【図１】
2011083519.tif 000003
【図２】
2011083519.tif 000004
【図３】
2011083519.tif 000005
【図４】
2011083519.tif 000006